(57)【特許請求の範囲】
【請求項１】
複数のタッチセンサを有するタッチパネルと、
このタッチパネルに結合された制御回路と
を具える電子装置であって、
前記制御回路は、前記タッチセンサの各々をこのタッチセンサのプリセット充電期間に応じて充電するとともに、これらタッチセンサの充電特性における最大差を検出するようになっており、更に前記制御回路は、前記最大差がプリセットしきい値よりも高い場合に、これらタッチセンサの充電特性と、これらタッチセンサのプリセット充電期間のプリセット限界値とに応じて、これらタッチセンサのプリセット充電期間を調整するようになっている電子装置。
【請求項２】
請求項１に記載の電子装置において、前記最大差がプリセットしきい値よりも低い場合に、前記制御回路は、前記タッチセンサのプリセット充電期間を変化させないように保つとともに前記タッチセンサの各々をこのタッチセンサのプリセット充電期間に応じて充電するようになっている電子装置。
【請求項３】
請求項１に記載の電子装置において、前記制御回路により前記タッチセンサのプリセット充電期間を調整する場合、この制御回路が、前記タッチセンサの中で時定数が最大の最も遅いタッチセンサのプリセット充電期間の長さを、前記プリセット限界値に応じて決定するとともに、この制御回路が、その他のタッチセンサのプリセット充電期間の長さを、前記最も遅いタッチセンサのプリセット充電期間の長さと、これらのその他のタッチセンサの充電特性とに応じて決定するようになっている電子装置。
【請求項４】
請求項３に記載の電子装置において、前記最も遅いタッチセンサが前記プリセット限界値中に完全に充電できる場合に、前記制御回路は、この最も遅いタッチセンサのプリセット充電期間の長さを、この最も遅いタッチセンサが完全に充電されるのに要する時間となるように設定し、この最も遅いタッチセンサが前記プリセット限界値中に完全に充電できない場合に、前記制御回路は、この最も遅いタッチセンサのプリセット充電期間の長さを、前記プリセット限界値となるように設定し、前記制御回路は、その他のタッチセンサの各々のプリセット充電期間の長さを、このタッチセンサの充電特性に応じて、このタッチセンサが、最も遅いタッチセンサのプリセット充電期間内でこの最も遅いタッチセンサが充電されるのと同じ電圧レベルまで充電されるのに要する時間となるように設定するようになっている電子装置。
【請求項５】
請求項１に記載の電子装置において、前記制御回路は、前記タッチセンサの各々をこのタッチセンサの前記プリセット充電期間及びプリセット充電遅延に応じて充電するとともに、これらタッチセンサの充電特性における最大差を検出し、この最大差がプリセットしきい値よりも高い場合に、前記制御回路は、これらタッチセンサの充電特性及び前記プリセット限界値に応じてこれらタッチセンサのプリセット充電期間及びプリセット充電遅延を調整するようになっている電子装置。
【請求項６】
請求項５に記載の電子装置において、前記最大差がプリセットしきい値よりも低い場合に、前記制御回路は、タッチセンサのプリセット充電期間及びプリセット充電遅延を変化させない状態に保つとともに、これらタッチセンサの各々をこのタッチセンサのプリセット充電期間及びプリセット充電遅延に応じて充電するようになっている電子装置。
【請求項７】
一体化されたタッチセンサを有するディスプレイと、
タッチパネルに結合された制御回路と
を具える電子装置であって、
前記制御回路は、前記タッチセンサの各々をこのタッチセンサのプリセット充電期間に応じて充電するとともに、これらタッチセンサの充電特性における最大差を検出するようになっており、更にこの最大差がプリセットしきい値よりも高い場合に、前記制御回路は、これらタッチセンサの充電特性と、これらタッチセンサのプリセット充電期間のプリセット限界値とに応じて、これらタッチセンサのプリセット充電期間を調整するようになっている電子装置。
【請求項８】
請求項７に記載の電子装置において、前記最大差がプリセットしきい値よりも低い場合に、前記制御回路は、前記タッチセンサのプリセット充電期間を変化させないように保つとともに前記タッチセンサの各々をこのタッチセンサのプリセット充電期間に応じて充電するようになっている電子装置。
【請求項９】
請求項７に記載の電子装置において、前記制御回路により前記タッチセンサのプリセット充電期間を調整する場合、この制御回路が、前記タッチセンサの中で時定数が最大の最も遅いタッチセンサのプリセット充電期間の長さを、前記プリセット限界値に応じて決定するとともに、この制御回路が、その他のタッチセンサのプリセット充電期間の長さを、前記最も遅いタッチセンサのプリセット充電期間の長さと、これらのその他のタッチセンサの充電特性とに応じて決定するようになっている電子装置。
【請求項１０】
請求項９に記載の電子装置において、前記最も遅いタッチセンサが前記プリセット限界値中に完全に充電できる場合に、前記制御回路は、この最も遅いタッチセンサのプリセット充電期間の長さを、この最も遅いタッチセンサが完全に充電されるのに要する時間となるように設定し、この最も遅いタッチセンサが前記プリセット限界値中に完全に充電できない場合に、前記制御回路は、この最も遅いタッチセンサのプリセット充電期間の長さを、前記プリセット限界値となるように設定し、前記制御回路は、その他のタッチセンサの各々のプリセット充電期間の長さを、このタッチセンサの充電特性に応じて、このタッチセンサが、最も遅いタッチセンサのプリセット充電期間内でこの最も遅いタッチセンサが充電されるのと同じ電圧レベルまで充電されるのに要する時間となるように設定するようになっている電子装置。
【請求項１１】
請求項７に記載の電子装置において、前記制御回路は、前記タッチセンサの各々をこのタッチセンサの前記プリセット充電期間及びプリセット充電遅延に応じて充電するとともに、これらタッチセンサの充電特性における最大差を検出し、この最大差がプリセットしきい値よりも高い場合に、前記制御回路は、これらタッチセンサの充電特性及び前記プリセット限界値に応じてこれらタッチセンサのプリセット充電期間及びプリセット充電遅延を調整するようになっている電子装置。
【請求項１２】
請求項１１に記載の電子装置において、前記最大差がプリセットしきい値よりも低い場合に、前記制御回路は、タッチセンサのプリセット充電期間及びプリセット充電遅延を変化させない状態に保つとともに、これらタッチセンサの各々をこのタッチセンサのプリセット充電期間及びプリセット充電遅延に応じて充電するようになっている電子装置。
【請求項１３】
電子装置のタッチパネルを走査する走査方法において、この走査方法が、
前記タッチパネルの各タッチセンサをこのタッチセンサのプリセット充電期間に応じて充電させるステップと、
前記タッチパネルのこれらタッチセンサの充電特性における最大差を検出するステップと、
この最大差がプリセットしきい値よりも高い場合に、これらタッチセンサの充電特性とこれらタッチセンサのプリセット充電期間のプリセット限界値とに応じてこれらタッチセンサのプリセット充電期間を調整するステップと
を具える走査方法。
【請求項１４】
請求項１３に記載の走査方法において、この走査方法が更に、
前記最大差がプリセットしきい値よりも低い場合に、前記タッチセンサのプリセット充電期間を変化させないように保つとともに、これらタッチセンサの各々をこのタッチセンサのプリセット充電期間に応じて充電するステップ
を具えている走査方法。
【請求項１５】
請求項１３に記載の走査方法において、タッチセンサのプリセット充電期間を調整する前記ステップが、
前記プリセット限界値に応じてこれらタッチセンサの中で最大の時定数を有する最も遅いタッチセンサのプリセット充電期間の長さを決定するステップと、
前記最も遅いタッチセンサのプリセット充電期間の長さと、その他のタッチセンサの充電特性とに応じて、これらのその他のタッチセンサのプリセット充電期間の長さを決定するステップと
を有している走査方法。
【請求項１６】
請求項１５に記載の走査方法において、タッチセンサのプリセット充電期間を調整する前記ステップが更に、
前記最も遅いタッチセンサが前記プリセット限界値中に完全に充電できる場合に、この最も遅いタッチセンサのプリセット充電期間の長さを、この最も遅いタッチセンサが完全に充電されるのに要する時間となるように設定するステップと、
前記最も遅いタッチセンサが前記プリセット限界値中に完全に充電できない場合に、この最も遅いタッチセンサのプリセット充電期間の長さを、プリセット限界値となるように設定するステップと、
前記その他のタッチセンサの各々のプリセット充電期間の長さを、このタッチセンサの充電特性に応じて、このタッチセンサが、前記最も遅いタッチセンサのプリセット充電期間内でこの最も遅いタッチセンサが充電されるのと同じ電圧レベルまで充電されるのに要する時間となるように設定するステップと
を有している走査方法。
【請求項１７】
請求項１３に記載の走査方法において、この走査方法が更に、
前記タッチセンサの各々をこのタッチセンサの前記プリセット充電期間及びプリセット充電遅延に応じて充電するステップと、
前記最大差が前記プリセットしきい値よりも高い場合に、これらタッチセンサの充電特性及び前記プリセット限界値に応じてこれらタッチセンサのプリセット充電期間及びプリセット充電遅延を調整するステップと
を有している走査方法。
【請求項１８】
請求項１７に記載の走査方法において、この走査方法が更に、
前記最大差が前記プリセットしきい値よりも低い場合に、前記タッチセンサのプリセット充電期間及びプリセット充電遅延を変化させない状態に保つとともに、これらタッチセンサの各々をこのタッチセンサのプリセット充電期間及びプリセット充電遅延に応じて充電するステップ
を具えている走査方法。
【発明の詳細な説明】
【技術分野】
【０００１】
本発明は、電子装置と、そのタッチパネルを走査（スキャニング）する方法とに関するものである。本発明は特に、上述した走査中にタッチパネルのタッチセンサを充電することに関するものである。
【背景技術】
【０００２】
図１は、タッチコントローラ１２０と、容量性のタッチパネルであるタッチパネル１４０とを有する従来の電子装置１００を示す線図である。このタッチパネル１４０は、一組の駆動ライン（縦ライン）と、一組の検出ライン（横ライン）とを有する。駆動ラインが検出ラインと交差する各位置が、タッチパネル１４０のタッチセンサである。例えば、タッチパネル１４０の３つのタッチセンサに符号１４２、１４４及び１４６をそれぞれ付してある。
【０００３】
タッチパネル１４０上でユーザがある動作を実行する場合、タッチパネル１４０を走査することによりその結果のタッチ事象をタッチコントローラ１２０が検出しうる。タッチパネル１４０を走査する場合、タッチコントローラ１２０が駆動信号をタッチパネル１４０の駆動ラインに送信する。これらの駆動信号がタッチパネル１４０のタッチセンサを充電し、これに応答してこれらのタッチセンサが検出信号を発生する。続いて、タッチコントローラ１２０がタッチパネル１４０の検出ラインから検出信号を受信する。このタッチコントローラ１２０が検出信号を解析してタッチ事象の位置を決定する。このタッチ事象に応じて、電子装置１００が予め決定した機能を実行しうる。
【０００４】
タッチパネルの走査中にはしばしば雑音が検出信号に悪影響を及ぼし、タッチ事象の検出に誤った結果をもたらす。雑音は常に問題となる。スマートフォン及びタブレット型コンピュータのような多くの電子装置には例えば、タッチパネル及び液晶モジュール（ＬＣＭ）より成るタッチ式ディスプレイが設けられている。ＬＣＭは、その画素の極性が反転された際に、多数の雑音を発生する。
【０００５】
従来の他の問題は、タッチパネルのタッチセンサの充電時間が互いに異なるということである。タッチパネルのタッチセンサの等価抵抗及び等価容量は均一ではなく、このことはタッチセンサの充電特性も均一ではないということを意味する。図２は、従来のタッチパネル１４０のタッチセンサ１４２、１４４及び１４６のそれぞれの充電時の電圧‐時間特性曲線２０２、２０４及び２０６を示す線図である。この図２に示すように、タッチセンサ１４６のような遠端のタッチセンサは、タッチセンサ１４２のような近端のタッチセンサが充電するよりもゆっくり充電する。その理由は、遠端のタッチセンサは大きな時定数を有する為である。この場合、タッチセンサの時定数はこのタッチセンサの等価抵抗と等価容量との積である。理想的には、タッチパネル１４０の走査中、全てのタッチセンサが電圧レベルＶR まで充電されている必要がある。近端のタッチセンサ１４２は電圧レベルＶR まで充電されるのに期間ＴN を要するが、遠端のタッチセンサ１４６は電圧レベルＶR まで充電されるのにより長い期間ＴF を要する。
【０００６】
しかし、従来のタッチパネルのタッチセンサは全て同じ充電時間に応じて充電されるものであり、これによりタッチセンサを不足充電又は過充電するおそれがある。例えば、全てのタッチセンサを充電期間ＴN に応じて充電すると、タッチセンサ１４４及び１４６が不足充電され、一方、全てのタッチセンサを充電期間ＴF に応じて充電すると、タッチセンサ１４２及び１４４が過充電される。
【発明の概要】
【発明が解決しようとする課題】
【０００７】
従って、本発明によれば、電子装置と、この電子装置のタッチパネルを走査する方法とを提供するものであり、この電子装置及び方法により、前述した雑音問題及び充電問題を解決しうる又は軽減しうるようにするものである。
【課題を解決するための手段】
【０００８】
本発明の一例によれば、電子装置を提供する。この電子装置には、タッチパネルと制御回路とが設けられている。タッチパネルには複数のタッチセンサが設けられている。又、制御回路はタッチパネルに結合されている。この制御回路は、タッチセンサのプリセット充電期間に応じてタッチセンサの各々を充電するとともに、これらタッチセンサの充電特性における最大差を検出する。この最大差がプリセットしきい値よりも大きい場合には、この制御回路が、タッチセンサの充電特性とタッチセンサのプリセット充電期間のプリセット限界値とに応じてこれらタッチセンサのプリセット充電期間を調整する。
【０００９】
本発明の他の例によれば他の電子装置を提供する。この電子装置には、ディスプレイと制御回路とが設けられている。このディスプレイには複数のタッチセンサが一体化されている。このディスプレイは、液晶ディスプレイ、ＯＬＥＤ（有機発光）ディスプレイ、インセル型ディスプレイ、オンセル型ディスプレイ又は透明ＯＬＥＤディスプレイとすることができる。制御回路はタッチパネルに結合されている。この制御回路は、タッチセンサのプリセット充電期間に応じてタッチセンサの各々を充電するとともに、これらタッチセンサの充電特性における最大差を検出する。この最大差がプリセットしきい値よりも大きい場合には、この制御回路が、タッチセンサの充電特性とタッチセンサのプリセット充電期間のプリセット限界値とに応じてこれらタッチセンサのプリセット充電期間を調整する。
【００１０】
本発明の更に他の例によれば、上述した電子装置のタッチパネルを走査する方法を提供する。この方法には、以下のステップを含める。各タッチセンサのプリセット充電期間に応じてタッチパネルの各タッチセンサを充電する。タッチパネルのこれらタッチセンサの充電特性における最大差を検出する。この最大差がプリセットしきい値よりも高い場合には、これらタッチセンサの充電特性とこれらタッチセンサのプリセット充電期間のプリセット限界値とに応じてこれらタッチセンサのプリセット充電期間を調整する。
【００１１】
以下に説明する添付図面は、本発明を更に理解するためのものであるが、本明細書の一部を構成するものでもある。これらの図面は本発明の実施例を示すものであり、その記述と相俟って本発明の原理を説明する作用をするものである。
【図面の簡単な説明】
【００１２】
【図１】図１は、タッチパネルを有する従来の電子装置を示す線図である。
【図２】図２は、従来のタッチパネルにおけるタッチセンサの充電を示す線図である。
【図３】図３は、本発明の一実施例による電子装置を示す線図である。
【図４】図４は、本発明の一実施例による電子装置のタッチパネルを充電する方法を示す流れ図である。
【図５】図５は、本発明の一実施例によるタッチパネルの充電を示す線図である。
【図６】図６は、本発明の一実施例によるタッチパネルのタッチセンサのプリセット充電期間を示す線図である。
【図７】図７は、本発明の一実施例によるタッチパネルのタッチセンサのプリセット充電遅延を示す線図である。
【図８】図８は、本発明の一実施例によるタッチパネルのタッチセンサのプリセット充電期間及びプリセット充電遅延を示す線図である。
【図９】図９は、本発明の他の実施例による電子装置を示す線図である。
【図１０】図１０は、本発明の更に他の実施例による電子装置を示す線図である。
【図１１】図１１は、本発明の更に他の実施例による電子装置を示す線図である。
【図１２】図１２は、本発明の更に他の実施例による電子装置を示す線図である。
【発明を実施するための形態】
【００１３】
以下に本発明の実施例につき詳細に説明するに、これらの実施例は添付図面に例示してある。これらの図面及び説明では、同じ又は同様な部分を参照するのに可能な限り同じ符号を付してある。
【００１４】
図３は、本発明の一実施例による電子装置３００を示す線図である。この電子装置３００はスマートフォン、携帯情報端末（ＰＤＡ）、タブレット型コンピュータ又はノート型パーソナルコンピュータとすることができる。この電子装置３００は、タッチパネル３４０と、このタッチパネル３４０に結合された制御回路３２０とを有している。タッチパネル３４０は、タッチセンサ３４２、３４４及び３４６のようなタッチ事象検出用の複数のタッチセンサを有する容量性のタッチパネルとすることができる。制御回路３２０は、タッチパネル３４０を走査することによりタッチ事象を検出することができる。この制御回路３２０は、駆動信号をタッチパネル３４０に送信してタッチセンサを充電し、次にタッチパネル３４０から検出信号を受信して解析することによりタッチパネル３４０を走査する。電子装置３００は、タッチ事象に応じて予め決定した機能を実行することができる。
【００１５】
図４は、本発明の一実施例による電子装置のタッチパネルを充電する方法を示す流れ図である。この方法は、タッチパネル３４０上の制御回路３２０により実行しうる。又この方法は、他の同様なタッチパネル上の他の同様な制御回路により実行することもできる。
【００１６】
図４に示す流れを以下に説明する。ステップ４１０では、タッチパネルのタッチセンサの幾つか又は全てを充電する。各タッチセンサは、このタッチセンサのプリセット充電期間に応じて充電される。この場合、プリセット充電期間とは、タッチセンサが充電される時間長である。ステップ４１０を最初に実行する場合、各タッチセンサのプリセット充電期間は同じ初期値である。ステップ４１０を後に実行する場合、各タッチセンサのプリセット充電期間は、図４の方法が前に実行された時に決定された値にすることができ、これらタッチセンサのプリセット充電期間は互いに同じ又は異なるようにすることができる。
【００１７】
ステップ４２０では、タッチセンサの充電特性を検出するとともに、これらタッチセンサの充電特性における最大差を検出する。本例では、各タッチセンサの充電特性を、このタッチセンサがこのタッチセンサのプリセット充電期間中に充電される電圧レベルとすることができる。或いはまた、各タッチセンサの充電特性を、このタッチセンサの時定数とすることができる。ステップ４３０では、タッチセンサの充電特性における最大差をプリセットしきい値と比較する。
【００１８】
この最大差がプリセットしきい値よりも低い場合には、流れがステップ４５０に進む。制御回路は、タッチセンサのプリセット充電期間を変化させない状態に保つとともに、各タッチセンサをこのタッチセンサのプリセット充電期間に応じて充電する。タッチセンサの充電特性における最大差がプリセットしきい値よりも低い為、この場合には充電が不均一である場合の従来の問題は存在しない。
【００１９】
タッチセンサの充電特性における最大差がプリセットしきい値よりも高いか又はこのプリセットしきい値に等しい場合には、流れがステップ４４０に進み、タッチセンサのプリセット充電期間を、これらタッチセンサの充電特性及びこれらタッチセンサのプリセット充電期間のプリセット限界値ＴL に応じて調整する。ステップ４４０における調整の目的は、各タッチセンサのプリセット充電期間を決定し、各タッチセンサが充電される電圧レベルを統一して、充電が不均一である場合の従来の問題を回避するようにすることである。ステップ４４０における調整の他の目的は、タッチセンサのプリセット充電期間の長さを制限して、雑音妨害を回避するようにすることである。ステップ４４０で決定したプリセット充電期間は、後に用いるべき表に記憶させることができる。次に、ステップ４５０において、制御回路が、ステップ４４０で決定されたタッチセンサのプリセット充電期間に応じて各タッチセンサを充電する。
【００２０】
タッチセンサの充電期間が長くなればなるほど、この充電期間中に現れる雑音が多くなる。従って、本例では、タッチセンサのプリセット充電期間のプリセット限界値ＴL が存在する。各タッチセンサのプリセット充電期間はプリセット限界値ＴL よりも短く又はこれに等しくする必要がある。ステップ４４０では、制御回路が最初に、プリセット限界値ＴL に応じてタッチセンサの中で最大の時定数を有する最も遅いタッチセンサのプリセット充電期間の長さを決定する。又、最も遅いタッチセンサがプリセット限界値ＴL 中に完全に理想的な電圧レベルＶI まで充電できる場合に、制御回路は、この最も遅いタッチセンサのプリセット充電期間の長さを、この最も遅いタッチセンサがこの理想的な電圧レベルＶI まで完全に充電されるのに要する時間となるように設定する。或いはまた、最も遅いタッチセンサがプリセット限界値ＴL 中に完全に充電できない場合に、制御回路は、この最も遅いタッチセンサのプリセット充電期間の長さを、プリセット限界値ＴL となるように設定する。理想的な電圧レベルＶI は、タッチパネルを走査するために各タッチセンサを充電する必要がある電圧レベルである。部分的に充電されたタッチセンサは、このタッチセンサが充電された電圧レベルが理想的な電圧レベルＶI よりもあまり低くない限り、タッチ事象を依然として検出しうる。
【００２１】
次に、制御回路が、最も遅いタッチセンサのプリセット充電期間の長さと、その他のタッチセンサの充電特性とに応じて、これらのその他のタッチセンサのプリセット充電期間の長さを決定する。例えば、図５を参照されたい。この図５は、本発明の一実施例によるタッチパネルの３つのタッチセンサの充電を示す線図である。曲線５０１〜５０３は、３つのタッチセンサの充電の電圧‐時間特性をそれぞれ示している。最も大きい時定数を有する最も遅いタッチセンサは曲線５０３に対応している。
【００２２】
最も遅いタッチセンサが、前述した様にプリセット限界値ＴL に応じて決定されたそのプリセット充電期間中に電圧レベルＶL に充電されるものとする。この電圧レベルＶL は理想的な電圧レベルＶI よりも低く又はこれに等しくすることができる。制御回路は、他のタッチセンサの各々のプリセット充電期間の長さをこのタッチセンサが同じ電圧レベルＶL に充電されるのに要する時間となるように設定することができる。図５に示すように、最も遅いタッチセンサは電圧レベルＶL に充電されるのに期間ＴS を要する。他の２つのタッチセンサは電圧レベルＶL に充電されるのにそれぞれ期間Ｔ1 及びＴ2 を要する。従って、制御回路は、これら他の２つのタッチセンサのプリセット充電期間の長さをそれぞれＴ1 及びＴ2 となるように設定する。制御回路は、最も遅いタッチセンサを充電することにより電圧レベルＶL を決定するか又はこの最も遅いタッチセンサの充電特性に応じて電圧レベルＶL を計算することができる。制御回路は、これら他の２つのタッチセンサを充電することによりＴ1 及びＴ2 の長さを検出するか又は電圧レベルＶL 及びこれら他の２つのタッチセンサの充電特性に応じてＴ1 及びＴ2 の長さを計算することができる。
【００２３】
図６は、本発明の一実施例によるタッチパネルの４つのタッチセンサのプリセット充電期間を示す線図である。この図６において、ＴL はタッチセンサのプリセット充電期間のプリセット限界値である。ＴP1、ＴP2、ＴP3及びＴP4はそれぞれ、前述したようにステップ４４０において制御回路により決定された４つのタッチセンサのプリセット充電期間である。図６に示すように、これらのタッチセンサは充電を同時に開始するとともに充電を互いに異なる瞬時に終了する。時定数が最も小さい最も速いタッチセンサの充電が最初に終了する。これらタッチセンサのプリセット充電期間ＴP1、ＴP2、ＴP3及びＴP4はプリセット限界値ＴL よりも長く広がらない。
【００２４】
本発明の幾つかの他の実施例では、制御回路によりタッチセンサのプリセット充電期間のみではなくタッチセンサのプリセット充電遅延をも決定しうる。図７は、本発明の一実施例によるタッチパネルのタッチセンサのプリセット充電遅延を示す線図である。ＴD がこのタッチセンサのプリセット充電遅延である。図７に示すように、このタッチセンサはそのプリセット充電遅延が終了するまで充電しない。
【００２５】
プリセット充電遅延が含まれている場合には、図４に示す方法に以下の変更を施す必要がある。ステップ４１０及び４５０において、制御回路がタッチセンサの各々をこのタッチセンサのプリセット充電期間及びプリセット充電遅延に応じて充電する。ステップ４３０において、最大差がプリセットしきい値よりも低い場合には、制御回路はタッチセンサのプリセット充電期間及びプリセット充電遅延を変化させないように保つ。ステップ４３０において、最大差がプリセットしきい値よりも高いか又はこれに等しい場合には、制御回路はステップ４４０においてタッチセンサのプリセット充電期間及びプリセット充電遅延をタッチセンサの充電特性及びプリセット限界値ＴL に応じて調整する。
【００２６】
例えば、本発明の一実施例によるタッチパネルの４つのタッチセンサのプリセット充電期間及びプリセット充電遅延を示す線図を図８に示す。この図８において、ＴL はタッチセンサのプリセット充電期間のプリセット限界値である。ＴP1、ＴP2、ＴP3及びＴP4はそれぞれ、前述したようにステップ４４０において制御回路により決定された４つのタッチセンサのプリセット充電期間である。ＴD1、ＴD2及びＴD3はそれぞれ、ステップ４４０において制御回路により決定された４つのタッチセンサのうちの３つのタッチセンサのプリセット充電遅延である。時定数が最も大きい最も遅いタッチセンサのプリセット充電遅延は零である。図８に示すように、タッチセンサは互いに異なる瞬時に充電を開始するとともに互いに同じ瞬時に充電を終了する。時定数が最も小さい最も速いタッチセンサの充電は最後に開始する。これらタッチセンサのプリセット充電期間ＴP1、ＴP2、ＴP3及びＴP4はプリセット限界値ＴL よりも長く広がらない。図６における例は、プリセット充電遅延が全て零である図８における例の特別な場合とみなすことができる。制御回路は、タッチセンサのプリセット充電期間がプリセット限界値ＴL よりも長く広がらない限り、タッチセンサのプリセット充電遅延を任意に決めることができる。
【００２７】
図９は、本発明の一実施例による電子装置９００を示す線図である。この電子装置９００はタッチパネル９４０と制御回路９２０とを有する。制御回路９２０はタッチドライバ９２５を有する。このタッチドライバ９２５は前述したタッチパネル走査方法をタッチパネル９４０上で実行することができる。
【００２８】
図１０は、本発明の他の実施例による電子装置１０００を示す線図である。この電子装置１０００は、タッチパネル１０４０と、ディスプレイ１０６０と、制御回路１０２０とを具える。タッチパネル１０４０は複数のタッチセンサを有する。このタッチパネル１０４０はディスプレイ１０６０の一部として一体化されている。例えば、タッチパネル１０４０の導電層はディスプレイ１０６０の層の中から形成しうる。制御回路１０２０は、タッチドライバ１０２５とディスプレイドライバ１０２７とを有する。ディスプレイドライバ１０２７は、電子装置１０００のグラフィカルユーザインタフェースのような画像を表示するようにディスプレイ１０６０の画素を駆動する。
【００２９】
タッチドライバ１０２５とディスプレイドライバ１０２７とは、前述したタッチパネル走査方法をタッチパネル１０４０上で実行するように協働する。ディスプレイドライバ１０２７はステップ４１０及び４５０を実行する。このディスプレイドライバ１０２７は駆動信号をタッチパネル１０４０に送信してタッチセンサを充電し、このタッチパネル１０４０からその結果の検出信号をタッチドライバ１０２５が受信する。このタッチドライバ１０２５は、いつタッチセンサを充電するかを、又駆動信号をタッチセンサに送信するのを開始することをディスプレイドライバ１０２７に通知する制御信号をいつ送信するかを決定しうる。或いはまた、ディスプレイドライバ１０２７が、いつタッチセンサを充電するかを、又タッチセンサから検出信号を受信することをタッチドライバ１０２５に通知する制御信号をいつ送信するかを決定しうる。
【００３０】
タッチドライバ１０２５はステップ４２０を実行する。タッチドライバ１０２５又はディスプレイドライバ１０２７はステップ４３０を実行しうる。タッチドライバ１０２５又はディスプレイドライバ１０２７はステップ４４０を実行して、タッチパネル１０４０のタッチセンサのプリセット充電期間（又はプリセット充電期間とプリセット充電遅延との双方）を決定しうる。タッチセンサのプリセット充電期間（又はプリセット充電期間とプリセット充電遅延との双方）がタッチドライバ１０２５により決定されると、タッチドライバ１０２５は、タッチセンサのプリセット充電期間（又はプリセット充電期間とプリセット充電遅延との双方）をディスプレイドライバ１０２７に通知する制御信号を送信する。タッチセンサのプリセット充電期間（又はプリセット充電期間とプリセット充電遅延との双方）がディスプレイドライバ１０２７により決定されると、タッチドライバ１０２５は、タッチセンサの充電特性のような必要なデータをディスプレイドライバ１０２７に通知する制御信号を送信する。
【００３１】
図１１は、本発明の他の実施例による電子装置１１００を示す線図である。この電子装置１１００は、タッチパネル１１４０と制御回路１１２０とを具える。制御回路１１２０は、処理ユニット１１２３とタッチドライバ１１２５とを有する。処理ユニット１１２３は電子装置１１００の主システムである。この処理ユニット１１２３とタッチドライバ１１２５とは、前述したタッチパネル走査方法をタッチパネル１１４０上で実行するように協働する。処理ユニット１１２３は、検出したタッチ事象に応じて電子装置１１００の予め決定した機能を実行する。タッチドライバ１１２５はステップ４１０、４２０及び４５０を実行する。処理ユニット１１２３はステップ４４０を実行して、タッチパネル１１４０のタッチセンサのプリセット充電期間（又はプリセット充電期間とプリセット充電遅延との双方）を決定する。処理ユニット１１２３又はタッチドライバ１１２５はステップ４３０を実行する。
【００３２】
図１２は、本発明の他の実施例による電子装置１２００を示す線図である。この電子装置１２００は、タッチパネル１２４０と、ディスプレイ１２６０と、制御回路１２２０とを具える。タッチパネル１２４０は、ディスプレイ１２６０の一部として一体化されている。制御回路１１２０は、システム１２２３と、タッチドライバ１２２５と、ディスプレイドライバ１２２７とを有する。システム１２２３は電子装置１２００の主システムである。ディスプレイドライバ１２２７は、電子装置１２００のグラフィカルユーザインタフェースのような画像を表示するようにディスプレイ１２６０の画素を駆動する。
【００３３】
システム１２２３と、タッチドライバ１２２５と、ディスプレイドライバ１２２７とは、前述したタッチパネル走査方法をタッチパネル１２４０上で実行するように協働する。システム１２２３は、検出されたタッチ事象に応じて電子装置１２００の予め決定した機能を実行する。ディスプレイドライバ１２２７はステップ４１０及び４５０を実行する。このディスプレイドライバ１２２７は駆動信号をタッチパネル１２４０に送信してタッチセンサを充電し、タッチドライバ１２２５はその結果の検出信号をタッチパネル１２４０から受信する。このタッチドライバ１２２５又はディスプレイドライバ１２２７は、いつタッチセンサを充電するかを決定しうる。
【００３４】
タッチドライバ１２２５はステップ４２０を実行する。システム１２２３、タッチドライバ１２２５又はディスプレイドライバ１２２７はステップ４３０を実行しうる。システム１２２３はステップ４４０を実行してタッチパネル１２４０のタッチセンサのプリセット充電期間（又はプリセット充電期間とプリセット充電遅延との双方）を決定する。
【００３５】
図９〜１２におけるシステム、タッチドライバ及びディスプレイドライバは全てハードウェア回路である。
【００３６】
以上要するに、本発明は、タッチセンサの充電が不均一であることによる従来の問題を回避するために、タッチパネルのタッチセンサに対する充電期間を異なるように（又は充電期間を異なるように且つ充電遅延を異なるように）設定する。更に、本発明は、タッチパネルの走査中の雑音妨害を回避又は軽減させるために、タッチセンサのプリセット充電期間にプリセット限界値を課すようにする。
【００３７】
当業者にとって明らかなように、本発明の範囲又は精神から逸脱することなく、本発明の構造に種々の変更及び変形を成すことができるものである。上述したことを考慮するに、本発明は、特許請求の範囲及びその等価範囲に入る限り本発明の変更及び変形を含むことを意図するものである。
【図１】
0005469220.tif 000002
【図２】
0005469220.tif 000003
【図３】
0005469220.tif 000004
【図４】
0005469220.tif 000005
【図５】
0005469220.tif 000006
【図６】
0005469220.tif 000007
【図７】
0005469220.tif 000008
【図８】
0005469220.tif 000009
【図９】
0005469220.tif 000010
【図１０】
0005469220.tif 000011
【図１１】
0005469220.tif 000012
【図１２】
0005469220.tif 000013